(57)【要約】【課題】画像のコントラストを向上できる電気泳動表示装置を提供すること【解決手段】  第一基板１０の第一電極１１と第二基板１３との間は、所定間隔離されており、各画素の間には隔壁はなく、外周に隔壁１９が設けられている。従って、第一電極１１と絶縁膜１２と隔壁１９との間に密閉空間である表示部１５が形成されている。この表示部１５内には分散媒と、白色帯電粒子２２が充填されている。第一電極１１と第二電極１４との間に、駆動波形メモリに記憶された所定波形の駆動電圧を表示制御部が印加することにより、白色帯電粒子２２を各画素の間で移動させてる。【選択図】図２
2007310265.tif 000002
【特許請求の範囲】
【請求項１】
光透過性を有する第一基板と当該第一基板に対向するように配置された第二基板とにより構成された表示パネルと、前記第一基板及び前記第二基板の間隙に充填され、帯電粒子が分散された分散媒とを備えた電気泳動表示装置において、
前記第一基板に設けられた第一電極と、前記第二基板に設けられた第二電極と、当該両電極間に位置する前記分散媒とにより画素を構成し、
前記表示パネルには、前記画素が複数配設され、
前記第二基板の前記第一基板への対向面は、前記帯電粒子の色である第一の色と異なる色である第二の色に着色され、
前記各画素毎に、前記第一電極と前記第二電極との間に所定パターンの電圧を印加する電圧印加手段を備え、
前記表示パネルに複数配設された前記画素において、色を変化させる特定画素と、その特定画素に隣接する画素である隣接画素とで、前記電圧印加手段は、前記第一電極及び前記第二電極間に印加する電圧のパターンを異ならせて、前記特定画素から前記隣接画素へ、又は、前記隣接画素から前記特定画素へ前記帯電粒子を移動させて、前記特定画素の色を変化させることを特徴とする電気泳動表示装置。
【請求項２】
前記電圧のパターンは複数のパルスの組み合わせからなり、
前記電圧印加手段は、所定のタイミングのパルスの電位を前記特定画素と隣接画素とで異ならせることにより、前記特定画素から前記隣接画素へ、又は、前記隣接画素から前記特定画素へ前記帯電粒子を移動させて、前記特定画素の色を変化させることを特徴とする請求項１に記載の電気泳動表示装置。
【請求項３】
前記帯電粒子の極性が負であり、
前記特定画素の色を第一の色から第二の色に変化させる場合は、
前記電圧印加手段は、前記隣接画素の第一電極の電位若しくは第二電極の電位の少なくとも何れかを、前記特定画素の第一電極の電位及び第二電極の電位よりも高くすることにより、前記特定画素から前記隣接画素へ前記帯電粒子を移動させ、
前記特定画素の色を第二の色から第一の色に変化させる場合は、
前記電圧印加手段は、前記特定画素の第一電極の電位若しくは前記第二電極の電位の少なくとも何れかを、前記隣接画素の第一電極の電位及び第二電極の電位よりも高くすることにより、前記隣接画素から前記特定画素へ前記帯電粒子を移動させることを特徴とする請求項１又は２に記載の電気泳動表示装置。
【請求項４】
前記帯電粒子の極性が正であり、
前記特定画素の色を第一の色から第二の色に変化させる場合は、
前記電圧印加手段は、前記隣接画素の第一電極の電位若しくは第二電極の電位の少なくとも何れかを、前記特定画素の第一電極の電位及び第二電極の電位よりも低くすることにより、前記特定画素から前記隣接画素へ前記帯電粒子を移動させ、
前記特定画素の色を第二の色から第一の色に変化させる場合は、
前記電圧印加手段は、前記特定画素の第一電極の電位若しくは前記第二電極の電位の少なくとも何れかを、前記隣接画素の第一電極の電位及び第二電極の電位よりも低くすることにより、前記隣接画素から前記特定画素へ前記帯電粒子を移動させることを特徴とする請求項１又は２に記載の電気泳動表示装置。
【請求項５】
前記特定画素の色を第二の色から第一の色に変化させる場合に、
前記電圧印加手段は、
前記第一の色のまま維持される隣接画素の第一電極及び前記第二電極間に印加する電圧のパターンと、前記隣接画素に隣接する画素であって前記特定画素と前記隣接画素以外の画素である周辺画素の第一電極及び前記第二電極間に印加する電圧のパターンとを異ならせて前記周辺画素から前記第一の色のまま維持される隣接画素へ前記帯電粒子を移動させることを特徴とする請求項１又は２に記載の電気泳動表示装置。
【請求項６】
前記帯電粒子の極性が負であり、
前記電圧印加手段は、前記特定画素の第一電極の電位若しくは前記第二電極の電位の少なくとも何れかを、前記第一の色のまま維持される隣接画素の第一電極の電位及び第二電極の電位よりも高くすることにより、前記第一の色のまま維持される隣接画素から前記特定画素へ前記帯電粒子を移動させ、
前記電圧印加手段は、前記第一の色のまま維持される隣接画素の第一電極の電位若しくは前記第二電極の電位の少なくとも何れかを、前記周辺画素の第一電極の電位及び第二電極の電位よりも高くすることにより、前記周辺画素から前記第一の色のまま維持される隣接画素へ前記帯電粒子を移動させることを特徴とする請求項５に記載の電気泳動表示装置。
【請求項７】
前記帯電粒子の極性が正であり、
前記電圧印加手段は、前記特定画素の第一電極の電位若しくは前記第二電極の電位の少なくとも何れかを、前記第一の色のまま維持される隣接画素の第一電極の電位及び第二電極の電位よりも低くすることにより、前記隣接画素から前記特定画素へ前記帯電粒子を移動させ、
前記電圧印加手段は、前記第一の色のまま維持される隣接画素の第一電極の電位若しくは前記第二電極の電位の少なくとも何れかを、前記周辺画素の第一電極の電位及び第二電極の電位よりも低くすることにより、前記周辺画素から前記隣接画素へ前記帯電粒子を移動させることを特徴とする請求項５に記載の電気泳動表示装置。
【請求項８】
前記電圧印加手段は、前記特定画素を前記第二の色から前記第一の色に変化させる場合に、前記特定画素の前記第一電極の前記第二電極に対する電位を前記帯電粒子の帯電と逆極性にする電圧を、他の画素の何れよりも先に前記特定画素の前記第一電極及び前記第二電極間に印加することを特徴とする請求項１乃至７の何れかに記載の電気泳動表示装置。
【請求項９】
前記帯電粒子の極性が負であり、
前記電圧印加手段は、
前記特定画素を前記第二の色から前記第一の色に変化させる場合に、前記特定画素の隣接画素であって前記第二の色のまま変化させない隣接画素の前記第一電極に印加する電圧を、当該隣接画素に隣接する画素の第一電極に印加する電圧以下にし、
且つ、前記特定画素の隣接画素であって前記第二の色のまま変化させない隣接画素の前記第二電極に印加する電圧を、当該隣接画素に隣接する画素の第二電極に印加する電圧以下にすることを特徴とする請求項１乃至８の何れかに記載の電気泳動表示装置。
【請求項１０】
前記帯電粒子の極性が正であり、
前記電圧印加手段は、
前記特定画素を前記第二の色から前記第一の色に変化させる場合に、前記特定画素の隣接画素で、前記第二の色のまま変化させない隣接画素の前記第一電極に印加する電圧を、当該隣接画素に隣接する画素の第一電極に印加する電圧以上にし、
且つ、前記特定画素の隣接画素であって前記第二の色のまま変化させない隣接画素の前記第二電極に印加する電圧を、当該隣接画素に隣接する画素の第二電極に印加する電圧以上にすることを特徴とする請求項１乃至８の何れかに記載の電気泳動表示装置。
【請求項１１】
前記画素は、所定の個数毎に、前記帯電粒子の移動を妨げる隔壁に囲まれていることを特徴とする、請求項１乃至１０の何れかに記載の電気泳動表示装置。
【請求項１２】
前記表示パネルに複数配設された前記画素からなる表示部の周囲には、前記第一基板に第一外周電極が設けられ、前記第二基板に第二外周電極が設けられ、
前記電圧印加手段は、当該第一外周電極及び第二外周電極にも電圧を印加し、前記画素の前記第一電極及び前記第二電極間に印加する電圧のパターンと、前記表示部の周囲の第一外周電極及び前記第二外周電極に印加する電圧のパターンとを異ならせて、前記表示部から前記第二外周電極側へ、又は、前記第二外周電極側から前記表示部へ前記帯電粒子を移動させることを特徴とする請求項１乃至１１の何れかに記載の電気泳動表示装置。
【請求項１３】
前記帯電粒子の極性が負であり、
前記表示パネルに複数配設された前記画素からなる表示部の周囲には、前記第一基板に第一外周電極が設けられ、前記第二基板に第二外周電極が設けられ、
前記電圧印加手段は、当該第一外周電極及び第二外周電極にも電圧を印加し、
前記表示パネルに複数配設された前記画素を全て前記第二の色にする場合には、前記電圧印加手段は、前記第二外周電極に、前記表示パネルに複数配設された各画素の第一電極の電位及び第二電極の電位よりも高い電位を印加することにより、前記各画素から前記帯電粒子を前記第二外周電極側に移動させ、
前記表示パネルに複数配設された前記画素を全て前記第一の色にする場合には、前記電圧印加手段は、前記表示パネルに複数配設された各画素の第一電極若しくは第二電極に、第一外周電極及び第二外周電極よりも高い電圧を印加して、前記第二外周電極側から前記帯電粒子を前記各画素に移動させことを特徴とする請求項１２に記載の電気泳動表示装置。
【請求項１４】
前記帯電粒子の極性が正であり、
前記表示パネルに複数配設された前記画素からなる表示部の周囲には、前記第一基板に第一外周電極が設けられ、前記第二基板に第二外周電極が設けられ、
前記電圧印加手段は、当該第一外周電極及び第二外周電極にも電圧を印加し、
前記表示パネルに複数配設された前記画素を全て前記第二の色にする場合には、前記電圧印加手段は、前記第二外周電極に、前記表示パネルに複数配設された各画素の第一電極の電位及び第二電極の電位よりも低い電位を印加することにより、前記各画素から前記帯電粒子を第二外周電極側に移動させ、
前記表示パネルに複数配設された前記画素を全て前記第一の色にする場合には、前記電圧印加手段は、前記表示パネルに複数配設された各画素の第一電極若しくは第二電極に、第一外周電極及び第二外周電極よりも低い電圧を印加して、前記第二外周電極側から前記帯電粒子を前記各画素に移動させることを特徴とする請求項１２に記載の電気泳動表示装置。
【請求項１５】
隣り合う前記第一外周電極の間には、前記帯電粒子の移動を妨げる前記隔壁が設置されていることを特徴とする、請求項１２乃至１４の何れかに記載の電気泳動表示装置。
【請求項１６】
電圧印加手段は、各画素毎に、前記第一電極と前記第二電極との間に所定パターンの電圧繰返し印加することを特徴とする請求項１乃至１５の何れかに記載の電気泳動表示装置。
【発明の詳細な説明】
【技術分野】
【０００１】
本発明は、電気泳動現象を利用して画像を表示する電気泳動表示装置に関するものである。
【背景技術】
【０００２】
従来、電気泳動現象を利用して画像を表示する電気泳動表示装置が知られている。この電気泳動表示媒体では、一方が透明な表示基板と、それに対向配置される背面基板とにより、周囲のギャップスペーサーを介して所定間隔を設けた密閉空間が形成されている。そして、着色された帯電粒子が分散された分散媒が、前記密閉空間に充填されて、表示部が形成されている。例えば、液体分散媒に分散されている帯電粒子が、黒色の帯電粒子と、それとは異なる帯電極性である白色の帯電粒子によって構成されている場合、表示部に電界を発生させることで黒色の帯電粒子を表示基板側に移動させると、結果その表示部では黒色を表示させることができる。また、逆向きの電界を発生させることで白色を表示させることができ、この組み合わせによって所望の画像が得られるようになっている。
【０００３】
上記構成の電気泳動表示装置では、黒色の帯電粒子と白色の帯電粒子を使用しているので、黒色の帯電粒子と白色の帯電粒子とが入り混じってコントラストの低下を招いていた。この問題を解決するための電気泳動表示装置が提案されている（例えば、特許文献１参照）。この特許文献１に記載の電気泳動表示装置では、液体分散媒には、一色の帯電粒子（例えば、黒色の帯電粒子のみ）を分散し、背面基板の表面をこの帯電粒子の色彩と異なる色（例えば、白色）に着色している。そして、この一色の帯電粒子を１画素内で背面基板と平行方向に移動させて、背面基板の表面を露出させて、当該背面基板の表面と一色の帯電粒子の占める面積を変化させて、画像を表示するようにしている。
【特許文献１】特開２００１−２０１７７０号公報
【発明の開示】
【発明が解決しようとする課題】
【０００４】
しかしながら、特許文献１に記載の電気泳動表示装置では、帯電粒子を１画素内で隅に移動させて、背面基板の表面の大部分を露出させても、１画素内で帯電粒子が目されるために、画像のコントラストが悪化するという問題点があった。
【０００５】
本発明は上記問題を解決するためになされたものであり、画像のコントラストを向上できる電気泳動表示装置を提供することを目的とする。
【課題を解決するための手段】
【０００６】
上記目的を達成するために、請求項１に記載の電気泳動表示装置は、光透過性を有する第一基板と当該第一基板に対向するように配置された第二基板とにより構成された表示パネルと、前記第一基板及び前記第二基板の間隙に充填され、帯電粒子が分散された分散媒とを備えた電気泳動表示装置において、前記第一基板に設けられた第一電極と、前記第二基板に設けられた第二電極と、当該両電極間に位置する前記分散媒とにより画素を構成し、前記表示パネルには、前記画素が複数配設され、前記第二基板の前記第一基板への対向面は、前記帯電粒子の色である第一の色と異なる色である第二の色に着色され、前記各画素毎に、前記第一電極と前記第二電極との間に所定パターンの電圧を印加する電圧印加手段を備え、前記表示パネルに複数配設された前記画素において、色を変化させる特定画素と、その特定画素に隣接する画素である隣接画素とで、前記電圧印加手段は、前記第一電極及び前記第二電極間に印加する電圧のパターンを異ならせて、前記特定画素から前記隣接画素へ、又は、前記隣接画素から前記特定画素へ前記帯電粒子を移動させて、前記特定画素の色を変化させることを特徴とする。
【０００７】
また、請求項２に記載の電気泳動表示装置は、請求項１に記載の発明の構成に加え、前記電圧のパターンは複数のパルスの組み合わせからなり、前記電圧印加手段は、所定のタイミングのパルスの電位を前記特定画素と隣接画素とで異ならせることにより、前記特定画素から前記隣接画素へ、又は、前記隣接画素から前記特定画素へ前記帯電粒子を移動させて、前記特定画素の色を変化させることを特徴とする。
【０００８】
また、請求項３に記載の電気泳動表示装置は、請求項１又は２に記載の発明の構成に加え、前記帯電粒子の極性が負であり、前記特定画素の色を第一の色から第二の色に変化させる場合は、前記電圧印加手段は、前記隣接画素の第一電極の電位若しくは第二電極の電位の少なくとも何れかを、前記特定画素の第一電極の電位及び第二電極の電位よりも高くすることにより、前記特定画素から前記隣接画素へ前記帯電粒子を移動させ、前記特定画素の色を第二の色から第一の色に変化させる場合は、前記電圧印加手段は、前記特定画素の第一電極の電位若しくは前記第二電極の電位の少なくとも何れかを、前記隣接画素の第一電極の電位及び第二電極の電位よりも高くすることにより、前記隣接画素から前記特定画素へ前記帯電粒子を移動させることを特徴とする。
【０００９】
また、請求項４に記載の電気泳動表示装置は、請求項１又は２に記載の発明の構成に加え、前記帯電粒子の極性が正であり、前記特定画素の色を第一の色から第二の色に変化させる場合は、前記電圧印加手段は、前記隣接画素の第一電極の電位若しくは第二電極の電位の少なくとも何れかを、前記特定画素の第一電極の電位及び第二電極の電位よりも低くすることにより、前記特定画素から前記隣接画素へ前記帯電粒子を移動させ、前記特定画素の色を第二の色から第一の色に変化させる場合は、前記電圧印加手段は、前記特定画素の第一電極の電位若しくは前記第二電極の電位の少なくとも何れかを、前記隣接画素の第一電極の電位及び第二電極の電位よりも低くすることにより、前記隣接画素から前記特定画素へ前記帯電粒子を移動させることを特徴とする。
【００１０】
また、請求項５に記載の電気泳動表示装置は、請求項１又は２に記載の発明の構成に加え、前記特定画素の色を第二の色から第一の色に変化させる場合に、前記電圧印加手段は、  前記第一の色のまま維持される隣接画素の第一電極及び前記第二電極間に印加する電圧のパターンと、前記隣接画素に隣接する画素であって前記特定画素と前記隣接画素以外の画素である周辺画素の第一電極及び前記第二電極間に印加する電圧のパターンとを異ならせて前記周辺画素から前記第一の色のまま維持される隣接画素へ前記帯電粒子を移動させることを特徴とする。
【００１１】
また、請求項６に記載の電気泳動表示装置は、請求項５に記載の発明の構成に加え、前記帯電粒子の極性が負であり、前記電圧印加手段は、前記特定画素の第一電極の電位若しくは前記第二電極の電位の少なくとも何れかを、前記第一の色のまま維持される隣接画素の第一電極の電位及び第二電極の電位よりも高くすることにより、前記第一の色のまま維持される隣接画素から前記特定画素へ前記帯電粒子を移動させ、前記電圧印加手段は、前記第一の色のまま維持される隣接画素の第一電極の電位若しくは前記第二電極の電位の少なくとも何れかを、前記周辺画素の第一電極の電位及び第二電極の電位よりも高くすることにより、前記周辺画素から前記第一の色のまま維持される隣接画素へ前記帯電粒子を移動させることを特徴とする。
【００１２】
また、請求項７に記載の電気泳動表示装置は、請求項５に記載の発明の構成に加え、前記帯電粒子の極性が正であり、前記電圧印加手段は、前記特定画素の第一電極の電位若しくは前記第二電極の電位の少なくとも何れかを、前記第一の色のまま維持される隣接画素の第一電極の電位及び第二電極の電位よりも低くすることにより、前記隣接画素から前記特定画素へ前記帯電粒子を移動させ、前記電圧印加手段は、前記第一の色のまま維持される隣接画素の第一電極の電位若しくは前記第二電極の電位の少なくとも何れかを、前記周辺画素の第一電極の電位及び第二電極の電位よりも低くすることにより、前記周辺画素から前記隣接画素へ前記帯電粒子を移動させることを特徴とする。
【００１３】
また、請求項８に記載の電気泳動表示装置は、請求項１乃至７の何れかに記載の発明の構成に加え前記電圧印加手段は、前記特定画素を前記第二の色から前記第一の色に変化させる場合に、前記特定画素の前記第一電極の前記第二電極に対する電位を前記帯電粒子の帯電と逆極性にする電圧を、他の画素の何れよりも先に前記特定画素の前記第一電極及び前記第二電極間に印加することを特徴とする。
【００１４】
また、請求項９に記載の電気泳動表示装置は、請求項１乃至８の何れかに記載の発明の構成に加え、前記帯電粒子の極性が負であり、前記電圧印加手段は、前記特定画素を前記第二の色から前記第一の色に変化させる場合に、前記特定画素の隣接画素であって前記第二の色のまま変化させない隣接画素の前記第一電極に印加する電圧を、当該隣接画素に隣接する画素の第一電極に印加する電圧以下にし、且つ、前記特定画素の隣接画素であって前記第二の色のまま変化させない隣接画素の前記第二電極に印加する電圧を、当該隣接画素に隣接する画素の第二電極に印加する電圧以下にすることを特徴とする。
【００１５】
また、請求項１０に記載の電気泳動表示装置は、請求項１乃至８の何れかに記載の発明の構成に加え、前記帯電粒子の極性が正であり、前記電圧印加手段は、前記特定画素を前記第二の色から前記第一の色に変化させる場合に、前記特定画素の隣接画素で、前記第二の色のまま変化させない隣接画素の前記第一電極に印加する電圧を、当該隣接画素に隣接する画素の第一電極に印加する電圧以上にし、且つ、前記特定画素の隣接画素であって前記第二の色のまま変化させない隣接画素の前記第二電極に印加する電圧を、当該隣接画素に隣接する画素の第二電極に印加する電圧以上にすることを特徴とする。
【００１６】
また、請求項１１に記載の電気泳動表示装置は、請求項１乃至１０の何れかに記載の発明の構成に加え、前記画素は、所定の個数毎に、前記帯電粒子の移動を妨げる隔壁に囲まれていることを特徴とする。
【００１７】
また、請求項１２に記載の電気泳動表示装置は、請求項１乃至１１の何れかに記載の発明の構成に加え、前記表示パネルに複数配設された前記画素からなる表示部の周囲には、前記第一基板に第一外周電極が設けられ、前記第二基板に第二外周電極が設けられ、前記電圧印加手段は、当該第一外周電極及び第二外周電極にも電圧を印加し、前記画素の前記第一電極及び前記第二電極間に印加する電圧のパターンと、前記表示部の周囲の第一外周電極及び前記第二外周電極に印加する電圧のパターンとを異ならせて、前記表示部から前記第二外周電極側へ、又は、前記第二外周電極側から前記表示部へ前記帯電粒子を移動させることを特徴とする。
【００１８】
また、請求項１３に記載の電気泳動表示装置は、請求項１２に記載の発明の構成に加え、前記帯電粒子の極性が負であり、前記表示パネルに複数配設された前記画素からなる表示部の周囲には、前記第一基板に第一外周電極が設けられ、前記第二基板に第二外周電極が設けられ、前記電圧印加手段は、当該第一外周電極及び第二外周電極にも電圧を印加し、前記表示パネルに複数配設された前記画素を全て前記第二の色にする場合には、前記電圧印加手段は、前記第二外周電極に、前記表示パネルに複数配設された各画素の第一電極の電位及び第二電極の電位よりも高い電位を印加することにより、前記各画素から前記帯電粒子を第二外周電極側に移動させ、前記表示パネルに複数配設された前記画素を全て前記第一の色にする場合には、前記電圧印加手段は、前記表示パネルに複数配設された各画素の第一電極若しくは第二電極に、第一外周電極及び第二外周電極よりも高い電圧を印加して、前記第二外周電極側から前記帯電粒子を前記各画素に移動させことを特徴とする。
【００１９】
また、請求項１４に記載の電気泳動表示装置は、請求項１２に記載の発明の構成に加え、前記帯電粒子の極性が正であり、  前記表示パネルに複数配設された前記画素からなる表示部の周囲には、前記第一基板に第一外周電極が設けられ、前記第二基板に第二外周電極が設けられ、前記電圧印加手段は、当該第一外周電極及び第二外周電極にも電圧を印加し、  前記表示パネルに複数配設された前記画素を全て前記第二の色にする場合には、前記電圧印加手段は、前記第二外周電極に、前記表示パネルに複数配設された各画素の第一電極の電位及び第二電極の電位よりも低い電位を印加することにより、前記各画素から前記帯電粒子を第二外周電極側に移動させ、前記表示パネルに複数配設された前記画素を全て前記第一の色にする場合には、前記電圧印加手段は、前記表示パネルに複数配設された各画素の第一電極若しくは第二電極に、第一外周電極及び第二外周電極よりも低い電圧を印加して、前記第二外周電極側から前記帯電粒子を前記各画素に移動させることを特徴とする。
【００２０】
また、請求項１５に記載の電気泳動表示装置は、請求項１２乃至１４の何れかに記載の発明の構成に加え、隣り合う前記第一外周電極の間には、前記帯電粒子の移動を妨げる前記隔壁が設置されていることを特徴とする。
【００２１】
また、請求項１６に記載の電気泳動表示装置は、請求項１乃至１５の何れかに記載の発明の構成に加え、電圧印加手段は、各画素毎に、前記第一電極と前記第二電極との間に所定パターンの電圧繰返し印加することを特徴とする。
【発明の効果】
【００２２】
請求項１に記載の電気泳動表示装置は、表示パネルを構成する第二基板の第一基板への対向面は、帯電粒子の色である第一の色と異なる色である第二の色に着色され、当該表示パネルに複数配設された画素において、色を変化させる特定画素と、その特定画素に隣接する画素である隣接画素とで、電圧印加手段は、第一電極及び第二電極間に印加する電圧のパターンを異ならせて、特定画素から隣接画素へ、又は、隣接画素から特定画素へ前記帯電粒子を移動させて、前記特定画素の色を変化させることができる。また、帯電粒子は、帯電特性の異なる２種類の色のものを用いる必要がなく、帯電粒子は画素間で移動するので、画素を第二の色にする場合には、当該画素から第一の色の帯電粒子を他の画素に移動させれば良く、画素のコントラストを向上できる。
【００２３】
また、請求項２に記載の電気泳動表示装置は、請求項１に記載の発明の効果に加え、電圧印加手段の印加する電圧のパターンは複数のパルスの組み合わせからなり、当該電圧印加手段は、所定のタイミングのパルスの電位を特定画素と隣接画素とで異ならせることにより、特定画素から隣接画素へ、又は、隣接画素から特定画素へ帯電粒子を移動させて、特定画素の色を変化させることができるので、画素のコントラストを向上できる。
【００２４】
また、請求項３に記載の電気泳動表示装置は、請求項１又は２に記載の発明の効果に加え、帯電粒子の極性が負であり、特定画素の色を第一の色から第二の色に変化させる場合は、電圧印加手段は、隣接画素の第一電極の電位若しくは第二電極の電位の少なくとも何れかを、特定画素の第一電極の電位及び第二電極の電位よりも高くすることにより、特定画素から隣接画素へ帯電粒子を移動させ、特定画素の色を第二の色から第一の色に変化させる場合は、電圧印加手段は、特定画素の第一電極の電位若しくは前記第二電極の電位の少なくとも何れかを、隣接画素の第一電極の電位及び第二電極の電位よりも高くすることにより、隣接画素から特定画素へ帯電粒子を移動させることができるので、画素のコントラストを向上できる。
【００２５】
また、請求項４に記載の電気泳動表示装置は、請求項１又は２に記載の発明の効果に加え、帯電粒子の極性が正であり、特定画素の色を第一の色から第二の色に変化させる場合は、電圧印加手段は、隣接画素の第一電極の電位若しくは第二電極の電位の少なくとも何れかを、特定画素の第一電極の電位及び第二電極の電位よりも低くすることにより、特定画素から隣接画素へ帯電粒子を移動させ、特定画素の色を第二の色から第一の色に変化させる場合は、電圧印加手段は、特定画素の第一電極の電位若しくは第二電極の電位の少なくとも何れかを、隣接画素の第一電極の電位及び第二電極の電位よりも低くすることにより、隣接画素から特定画素へ帯電粒子を移動させることができるので、画素のコントラストを向上できる。
【００２６】
また、請求項５に記載の電気泳動表示装置は、請求項１又は２に記載の発明の効果に加え、特定画素の色を第二の色から第一の色に変化させる場合に、電圧印加手段は、第一の色のまま維持される隣接画素の第一電極及び前記第二電極間に印加する電圧のパターンと、隣接画素に隣接する画素であって特定画素と隣接画素以外の画素である周辺画素の第一電極及び前記第二電極間に印加する電圧のパターンとを異ならせて周辺画素から第一の色のまま維持される隣接画素へ帯電粒子を移動させることができるので、隣接画素の帯電粒子が減ってコントラストが低くなるのを防止できる。
【００２７】
また、請求項６に記載の電気泳動表示装置は、請求項５に記載の発明の効果に加え、帯
帯電粒子の極性が負であり、電圧印加手段は、特定画素の第一電極の電位若しくは第二電極の電位の少なくとも何れかを、第一の色のまま維持される隣接画素の第一電極の電位及び第二電極の電位よりも高くすることにより、第一の色のまま維持される隣接画素から特定画素へ前記帯電粒子を移動させ、電圧印加手段は、第一の色のまま維持される隣接画素の第一電極の電位若しくは第二電極の電位の少なくとも何れかを、周辺画素の第一電極の電位及び第二電極の電位よりも高くすることにより、周辺画素から第一の色のまま維持される隣接画素へ帯電粒子を移動させることができるので、隣接画素の帯電粒子が減ってコントラストが低くなるのを防止できる。
【００２８】
また、請求項７に記載の電気泳動表示装置は、請求項５に記載の発明の効果に加え、前記帯電粒子の極性が正であり、電圧印加手段は、特定画素の第一電極の電位若しくは第二電極の電位の少なくとも何れかを、第一の色のまま維持される隣接画素の第一電極の電位及び第二電極の電位よりも低くすることにより、隣接画素から特定画素へ帯電粒子を移動させ、電圧印加手段は、第一の色のまま維持される隣接画素の第一電極の電位若しくは第二電極の電位の少なくとも何れかを、周辺画素の第一電極の電位及び第二電極の電位よりも低くすることにより、周辺画素から隣接画素へ帯電粒子を移動させることができるので、隣接画素の帯電粒子が減ってコントラストが低くなるのを防止できる。
【００２９】
また、請求項８に記載の電気泳動表示装置は、請求項１乃至７の何れかに記載の発明の効果に加え、電圧印加手段は、特定画素を第二の色から第一の色に変化させる場合に、特定画素の第一電極の第二電極に対する電位を帯電粒子の帯電と逆極性にする電圧を、他の画素の何れよりも先に特定画素の第一電極及び第二電極間に印加するので、特定画素に帯電粒子を移動させることができ、画素のコントラストを向上できる。
【００３０】
また、請求項９に記載の電気泳動表示装置は、請求項１乃至８の何れかに記載の発明の効果に加え、帯電粒子の極性が負であり、電圧印加手段は、特定画素を第二の色から第一の色に変化させる場合に、特定画素の隣接画素であって第二の色のまま変化させない隣接画素の第一電極に印加する電圧を、当該隣接画素に隣接する画素の第一電極に印加する電圧以下にし、且つ、特定画素の隣接画素であって第二の色のまま変化させない隣接画素の第二電極に印加する電圧を、当該隣接画素に隣接する画素の第二電極に印加する電圧以下にするので、第二の色のまま変化させない隣接画素のコントラストが低下するのを防止できる。
【００３１】
また、請求項１０に記載の電気泳動表示装置は、請求項１乃至８の何れかに記載の発明の効果に加え、帯電粒子の極性が正であり、電圧印加手段は、特定画素を前記第二の色から第一の色に変化させる場合に、特定画素の隣接画素で、第二の色のまま変化させない隣接画素の第一電極に印加する電圧を、当該隣接画素に隣接する画素の第一電極に印加する電圧以上にし、且つ、特定画素の隣接画素であって第二の色のまま変化させない隣接画素の第二電極に印加する電圧を、当該隣接画素に隣接する画素の第二電極に印加する電圧以上にするので、第二の色のまま変化させない隣接画素のコントラストが低下するのを防止できる。
【００３２】
また、請求項１１に記載の電気泳動表示装置は、請求項１乃至１０の何れかに記載の発明の効果に加え、画素は、所定の個数毎に、帯電粒子の移動を妨げる隔壁に囲まれているので、この所定個数の画素内で、帯電粒子の移動を行うことができる。
【００３３】
また、請求項１２に記載の電気泳動表示装置は、請求項１乃至１１の何れかに記載の発明の効果に加え、表示パネルに複数配設された画素からなる表示部の周囲には、第一基板に第一外周電極が設けられ、第二基板に第二外周電極が設けられ、電圧印加手段は、当該第一外周電極及び第二外周電極にも電圧を印加し、前記画素の第一電極及び第二電極間に印加する電圧のパターンと、表示部の周囲の第一外周電極及び第二外周電極に印加する電圧のパターンとを異ならせて、表示部から第二外周電極側へ、又は、第二外周電極側から表示部へ帯電粒子を移動させることができるので、表示部から第二外周電極側へ帯電粒子を移動させる場合には、各画素に帯電粒子が残らず、各画素のコントラストを向上することができる。
【００３４】
また、請求項１３に記載の電気泳動表示装置は、請求項１２に記載の発明の効果に加え、帯電粒子の極性が負であり、表示パネルに複数配設された画素からなる表示部の周囲には、第一基板に第一外周電極が設けられ、第二基板に第二外周電極が設けられ、電圧印加手段は、当該第一外周電極及び第二外周電極にも電圧を印加し、表示パネルに複数配設された画素を全て第二の色にする場合には、電圧印加手段は、第二外周電極に、表示パネルに複数配設された各画素の第一電極の電位及び第二電極の電位よりも高い電位を印加することにより、各画素から帯電粒子を第二外周電極側に移動させ、表示パネルに複数配設された画素を全て第一の色にする場合には、電圧印加手段は、表示パネルに複数配設された各画素の第一電極若しくは第二電極に、第一外周電極及び第二外周電極よりも高い電圧を印加して、第二外周電極側から帯電粒子を各画素に移動させることができるので、各画素のコントラストを向上することができる。
【００３５】
また、請求項１４に記載の電気泳動表示装置は、請求項１２に記載の発明の効果に加え、帯電粒子の極性が正であり、表示パネルに複数配設された画素からなる表示部の周囲には、第一基板に第一外周電極が設けられ、第二基板に第二外周電極が設けられ、電圧印加手段は、第一外周電極及び第二外周電極にも電圧を印加し、表示パネルに複数配設された画素を全て第二の色にする場合には、電圧印加手段は、第二外周電極に、表示パネルに複数配設された各画素の第一電極の電位及び第二電極の電位よりも低い電位を印加することにより、各画素から帯電粒子を第二外周電極側に移動させ、表示パネルに複数配設された画素を全て第一の色にする場合には、電圧印加手段は、表示パネルに複数配設された各画素の第一電極若しくは第二電極に、第一外周電極及び第二外周電極よりも低い電圧を印加して、第二外周電極側から前記帯電粒子を各画素に移動させることができるので、各画素のコントラストを向上することができる。
【００３６】
また、請求項１５に記載の電気泳動表示装置は、請求項１２乃至１４の何れかに記載の発明の効果に加え、隣り合う第一外周電極の間には、帯電粒子の移動を妨げる隔壁が設置されているので、この隔壁内の画素間で帯電粒子の移動を行うことができる。
【００３７】
また、請求項１６に記載の電気泳動表示装置は、請求項１乃至１５の何れかに記載の発明の効果に加え、電圧印加手段は、各画素毎に、第一電極と第二電極との間に所定パターンの電圧繰返し印加するので、帯電粒子の移動が容易になる。
【発明を実施するための最良の形態】
【００３８】
以下、本発明に係る電気泳動表示装置の第１実施の形態である画像表示装置１について図面を参照して説明する。図１は、第１実施の形態の画像表示装置１の表示パネル２の正面図であり、図２は、図１のＸ１−Ｘ１線に於ける矢視方向断面図であり、図３は、画像表示装置１のブロック図である。本実施の形態の画像表示装置１は、図２及び図３に示すように携帯用の電子機器に具備可能な小型の表示パネル２と、表示パネル２での画像表示を制御する制御装置３を備えている。
【００３９】
まず、第１実施の形態の画像表示装置１の物理的構成の概略について説明する。図１に示すように、画像表示装置１の表示パネル２は、一例として、正面視正方形の画素Ａ１，Ａ２，Ａ３，Ｂ１，Ｂ２，Ｂ３，Ｃ１，Ｃ２，Ｃ３を３行３列に設けて正方形に形成され、表示パネル２の画素Ａ１，Ａ２，Ａ３，Ｂ１，Ｂ３，Ｃ１，Ｃ２，Ｃ３の周りは、図１及び図２に示すように、後述する白色帯電粒子２２の移動を妨げる隔壁１９に囲まれている。また、図２及び図３に示すように、表示パネル２には、制御装置３が電気的に接続されている。
【００４０】
また、図２に示すように、表示パネル２は、その正面側（図２における上面側）に設けられる第一基板１０と、その背面側（図２における下面側）に設けられる第二基板１３とが対向配置されて構成されており、第一基板１０と第二基板１３との間隙に、複数の表示部１５を備えている。
【００４１】
この第一基板１０は、ポリイミド、ポリエチレンテレフタレート（ＰＥＴ）、ガラス等の高い透明性と高い絶縁性を発揮可能な材料により形成されており、図２に示すように、第一基板１０の背面側に、表示部１５に電界を発生させる第一電極１１を備えている。また、第一電極１１は、電極としての役割を果たし、酸化インジウムスズ（ＩＴＯ）膜、フッ素がドープされた酸化スズ膜、インジウムがドープされた酸化亜鉛膜等から成り、高い透明性を有している。
【００４２】
本実施の形態では、第一基板１０は透明なガラス基板であり、第一電極１１は酸化インジウムスズにより形成された透明電極であり、画素Ａ１，Ａ２，Ａ３，Ｂ１，Ｂ２，Ｂ３，Ｃ１，Ｃ２，Ｃ３に共通の電極となっている。また、第一基板１０及び第一電極１１は全て透明体であり、利用者が第一基板１０の上方向（図２上方向）から表示部１５を視認可能となっている。
【００４３】
次に、図２を参照して、第二基板１３及び第二電極１４について説明する。図２に示すように、第二基板１３は、第一基板１０に対向して設けられ、その正面側に、各画素Ａ１，Ａ２，Ａ３，Ｂ１，Ｂ２，Ｂ３，Ｃ１，Ｃ２，Ｃ３に対応して、各々独立して第二電極１４が設けられている。この第二電極１４は、表示部１５に電界を各画素毎に独立して発生させるものである。第二基板１３及び第二電極１４は、第一基板１０及び第一電極１１とは異なり、必ずしも透明である必要はない。本実施の形態では、第二基板１３は有機ＴＦＴ（Ｔｈｉｎ  Ｆｉｌｍ  Ｔｒａｎｓｉｓｔｏｒ）が組み込まれたガラス基板であり、この有機ＴＦＴを各第二電極１４毎に対応して設け、各第二電極１４毎に電圧の印加の制御（オン・オフ）を行うようになっている。尚、第二電極１４は、一例として酸化インジウムスズにより形成されており、その表面に絶縁膜１２が設けられている。この絶縁膜１２の表面（第一電極１１の対向側）は、一例として黒色（請求項にいう「第二の色」に相当する）に着色されている。尚、第二の色は、必ずしも黒色に限られず、第一の色と色相が異なるものであれば良い。尚、絶縁膜１２は例えば、黒色トナーを含んだポリエチレンテレフタレートのような高分子膜である。また、画素電極上にのみ形成するのであれば絶縁膜に限らず、クロム、タンタル、ジルコニウムなどの金属膜を用いても良い。尚、画素電極の領域のみを着色した場合は、黒に着色されていない部分の基板の色が見えてしまう恐れがあるが、本実施の形態によれば、黒色の絶縁膜１２が第二基板の全面に渡って形成されているため、確実に黒と白とでの色の切り替えが行なわれる。
【００４４】
次に、図２を参照して、表示部１５について説明する。図２に示すように、第一電極１１と第二基板１３との間は、所定間隔離されており、各画素Ａ１，Ａ２，Ａ３，Ｂ１，Ｂ２，Ｂ３，Ｃ１，Ｃ２，Ｃ３の間には隔壁はなく、スペーサを兼ねる隔壁１９が表示パネル２の外周に沿って配設されている。従って、第一電極１１と絶縁膜１２と隔壁１９との間に密閉空間が形成される。この密閉空間内が表示部１５となっている。
【００４５】
また、当該表示部１５（密閉空間）内には分散媒（図示外）と、白色帯電粒子２２が充填されている。この「白色」が請求項にいう「第一の色」に相当するが、必ずしも白色に限られない。また、分散媒としては、高絶縁性を発揮可能で、かつ粘性の低い、アルコール類、炭化水素、シリコーンオイル等を利用できる。本実施の形態では、炭化水素系絶縁性溶媒に少量のアルコールを添付して使用した。また、白色帯電粒子２２は、分散媒中において帯電可能な材料が用いられ、有機化合物や無機化合物からなる顔料や染料、もしくは顔料や染料を合成樹脂で包んだものからなる。本実施の形態では、白色帯電粒子２２に酸化チタン含有ポリメチルメタクリレート（ＰＭＭＡ）樹脂粒子を使用している。そして、白色帯電粒子２２は、正あるいは負に帯電していればよく、本実施の形態では白色帯電粒子２２が負に帯電している。
【００４６】
従って、表示部１５内では、第一電極１１と第二電極１４との間に形成される電界により、白色帯電粒子２２は当該電界の電気力線の方向と逆方向に移動され、当該白色帯電粒子２２と黒色に着色された絶縁膜１２とにより、画像が表示されるようになっている。また、白色帯電粒子２２は、後述する第二電極１４への電圧の印加制御により各画素Ａ１，Ａ２，Ａ３，Ｂ１，Ｂ２，Ｂ３，Ｃ１，Ｃ２，Ｃ３の境界を超えて移動するようになっている。たとえば、白色帯電粒子２２は、図２において、上下方向だけでなく、水平方向にも移動するようになっている。尚、白色帯電粒子２２は、第一電極１１と、第二電極１４と、隔壁１９とに囲まれた範囲で移動可能となっている。
【００４７】
次に、図３を参照して、電気泳動表示装置１の電気的構成について説明する。図３は、電気泳動表示装置１の電気的構成を示すブロック図である。
【００４８】
図３に示すように、電気泳動表示装置１の制御装置３には、電気泳動表示装置１の主制御を司るＣＰＵ５０が設けられている。そして、ＣＰＵ５０には、制御プログラム等を記憶したＲＯＭ５１と、メモリカード５４から画像データを取得するためのメモリカードインターフェース５３と、メモリカードインターフェース５３を介して取得した画像データやパラメータ、フラグ等を記憶するＲＡＭ５２と、表示パネル２を駆動して画像の表示態様を制御する表示制御部５６と、電源５９とがバス６０を介して接続されている。また、有機ＴＦＴを介して各第二電極１４に接続されたチャンネルＣＨ１及び第一電極１１に接続されたチャンネルＣＨ２への電圧の印加を制御して、第一電極１１と第二電極１４との間の電界の発生を司るＣＨ１・ＣＨ２ドライバ５５が表示制御部５６に接続されている。この表示制御部５６には、図示外のＣＰＵ、ＲＡＭ及びＲＯＭから構成され、当該ＲＯＭが駆動波形メモリ５６Ａとなっている。この駆動波形メモリ５６Ａには、後述する各画素毎の駆動電圧の波形が記憶されている。
【００４９】
次に、上記構成を有する第１実施の形態の表示パネル２の駆動方法について、図４乃至図１１を参照して説明する。図４は、表示パネル２の初期状態の正面図であり、図５は、表示パネル２の駆動完了後の正面図であり、図６乃至図１０は、第１実施の形態の表示パネル２の駆動中の正面図であり、図１１は、第１実施の形態の第二電極１４へ印加される駆動電圧の波形を示す画素毎の電圧制御図である。
【００５０】
この第１実施の形態では、図４に示す表示パネル２の初期状態では、各画素Ａ１〜Ｃ３が全て、白表示となっているものを、図５に示すように、画素Ｂ２のみを黒表示とするものである。尚、この制御は、表示制御部５６がＣＨ１・ＣＨ２ドライバを、図１１に示す駆動電圧の波形により駆動して行う。図１１に示す駆動電圧の波形のデータは、表示制御部５６の駆動波形メモリ５６Ａに記憶されており、表示制御部５６が駆動波形メモリ５６Ａから読み出して、ＣＨ１・ＣＨ２ドライバを制御して、各画素の第二電極１４への電圧の印加を行う。尚、白色から黒色となる画素Ｂ２が「特定画素」に相当し、画素Ｂ２に隣接して色が変わらない画素Ａ１，Ａ２，Ａ３，Ｂ１，Ｂ３，Ｃ１，Ｃ２，Ｃ３が「隣接画素」に相当する。
【００５１】
以下、図１１に示す第二電極１４へ印加される駆動電圧の波形と、図４乃至図１０を参照して、各画素Ａ１〜Ｃ３の駆動を説明する。尚、図１１に示す駆動電圧の波形は、第二電極１４に印加される制御電圧の波形であり、パルス幅は、基本を１０msecとし、電圧は、＋１０Ｖ、０Ｖ、−１０Ｖの間で変化する。尚、パルス幅は、１０msecには限られず、白色帯電粒子２２の移動時間を考慮して、適宜設定すれば良い。さらに、本実施例では、第一電極１１の電圧は、常時０Ｖとなっている。
【００５２】
本実施の形態では、まず、初期状態（時間０msec）では、各画素Ａ１〜Ｃ３の第二電極１４の電圧は、０Ｖである。この状態で、図４に示すように、白色帯電粒子２２が各画素Ａ１〜Ｃ３の第一基板１０側の第一電極１１に引き寄せられて、全白の表示状態となっている。次いで、１０msec（Ｔ１）に、各画素Ａ１〜Ｃ３の第二電極１４に＋１０Ｖを印加し、図６に示すように、各画素Ａ１〜Ｃ３の第一電極１１側に張り付いた白色帯電粒子２２を剥がした状態にする。ここで、粒子を移動させるためには、表示面に貼り付いている粒子を浮遊状態にしなければならない。その為に上記動作を行い、移動の準備として粒子を表示面から剥がした状態にしておく。
【００５３】
次に、２０msec（Ｔ２）に、各画素Ａ１〜Ｃ３の第二電極１４を０Ｖとし、第二電極１４と第一電極１１とを同電位とする。尚、ここでは対向電極に到達する前に第一電極と第二電極を同電位にすることで、粒子を媒体液中に浮遊させる。次に、３０msec（Ｔ３）に、画素Ｂ２を除く、画素Ａ１，Ａ２，Ａ３，Ｂ１，Ｂ３，Ｃ１，Ｃ２，Ｃ３の第二電極１４に＋１０Ｖを印加し、画素Ｂ２の第二電極１４は０Ｖにする。このようにすることで、画素Ｂ２に存在する粒子を他の画素領域に移動することが出来る。次いで、４０msec（Ｔ４）に、全画素Ａ１〜Ｃ３の第二電極１４に−１０Ｖを印加する。これは、粒子が第一電極側に移動し表面に貼り付いてしまうことを防止している。つまり、先のステップで動作をさせた粒子が第一基板に到達し、貼り付いてしまうことを防止している。次いで、５０msec（Ｔ５）に、画素Ｂ２を除く、画素Ａ１，Ａ２，Ａ３，Ｂ１，Ｂ３，Ｃ１，Ｃ２，Ｃ３の第二電極１４に＋１０Ｖを印加し、画素Ｂ２の第二電極１４は０Ｖにする。こうすることで、画素Ｂ２に存在する粒子を画素領域に移動することが出来る。以下、同じ思想にて電圧制御を行っている。この状態で、図７に示すように、画素Ｂ２から白色帯電粒子２２が画素Ａ１，Ａ２，Ａ３，Ｂ１，Ｂ３，Ｃ１，Ｃ２，Ｃ３の方向へ移動する状態となる。
【００５４】
次に、６０msec（Ｔ６）に、各画素Ａ１〜Ｃ３の第二電極１４に−１０Ｖを印加し、７０msec（Ｔ７）に、各画素Ａ１〜Ｃ３の第二電極１４を０Ｖにする。この状態が、図８に示す状態である。
【００５５】
次に、８０msec（Ｔ８）に、画素Ｂ２を除く、画素Ａ１，Ａ２，Ａ３，Ｂ１，Ｂ３，Ｃ１，Ｃ２，Ｃ３の第二電極１４に＋１０Ｖを印加し、画素Ｂ２の第二電極１４は０Ｖにする。次いで、９０msec（Ｔ９）に、全画素Ａ１〜Ｃ３の第二電極１４に−１０Ｖを印加し、次いで、１００msec（Ｔ１０）に、画素Ｂ２を除く、画素Ａ１，Ａ２，Ａ３，Ｂ１，Ｂ３，Ｃ１，Ｃ２，Ｃ３の第二電極１４に＋１０Ｖを印加し、画素Ｂ２の第二電極１４は０Ｖにする。この状態で、図９に示すように、画素Ｂ２から白色帯電粒子２２が画素Ａ１，Ａ２，Ａ３，Ｂ１，Ｂ３，Ｃ１，Ｃ２，Ｃ３の方向へ再度移動する状態となる。
【００５６】
次に、１１０msec（Ｔ１１）に、各画素Ａ１〜Ｃ３の第二電極１４に−１０Ｖを印加し、１２０msec（Ｔ１２）に、各画素Ａ１〜Ｃ３の第二電極１４を０Ｖにする。この状態が、図１０に示す状態である。
【００５７】
次に、１３０msec（Ｔ１３）に、画素Ｂ２を除く、画素Ａ１，Ａ２，Ａ３，Ｂ１，Ｂ３，Ｃ１，Ｃ２，Ｃ３の第二電極１４に＋１０Ｖを印加し、画素Ｂ２の第二電極１４は０Ｖにする。次いで、１４０msec（Ｔ１４）に、全画素Ａ１〜Ｃ３の第二電極１４に−１０Ｖを印加し、次いで、１５０msec（Ｔ１５）に、画素Ｂ２を除く、画素Ａ１，Ａ２，Ａ３，Ｂ１，Ｂ３，Ｃ１，Ｃ２，Ｃ３の第二電極１４に＋１０Ｖを印加し、画素Ｂ２の第二電極１４は０Ｖにする。その後、１６０msec（Ｔ１６）に、全画素Ａ１〜Ｃ３の第二電極１４を０Ｖにする。この状態が、図５に示す画素Ｂ２が黒、画素Ａ１，Ａ２，Ａ３，Ｂ１，Ｂ３，Ｃ１，Ｃ２，Ｃ３が白となった状態である。
【００５８】
本発明の第１実施の形態の表示パネル２では、特定画素Ｂ２と、その特定画素に隣接する画素である隣接画素とＡ１，Ａ２，Ａ３，Ｂ１，Ｂ３，Ｃ１，Ｃ２，Ｃ３とで、第二電極１４に印加する電圧のパターンを異ならせて、特定画素Ｂ２から隣接画素Ａ１，Ａ２，Ａ３，Ｂ１，Ｂ３，Ｃ１，Ｃ２，Ｃ３へ白色帯電粒子２２を移動させて、黒色の絶縁膜１２の表面を表示させて、画素Ｂ２を白から黒に変化させるが、画素Ｂ２には、白色帯電粒子２２が存在しなくなるか存在の確率が低くなるので、画素Ｂ２のコントラストを従来に比べて向上できる。
【００５９】
次に、図１２乃至図２０を参照して、本発明の第２実施の形態の表示パネル２の駆動方法について説明する。図１２は、第２実施の形態の表示パネル２の初期状態の正面図であり、図１３は、第２実施の形態の表示パネル２の駆動完了後の正面図であり、図１４乃至図１８は、第２実施の形態の表示パネル２の駆動中の正面図であり、図１９は、第２実施の形態の第二電極１４へ印加される駆動電圧の波形を示す画素毎の電圧制御図であり、図２０乃至図２２は、白色帯電粒子２２の移動の遷移状態を示す図である。
【００６０】
この第２実施の形態では、図１２に示す表示パネル２の初期状態では、画素Ａ１は、黒色であり、他の画素Ａ２，Ａ３，Ｂ１，Ｂ２，Ｂ３，Ｃ１，Ｃ２，Ｃ３が全て、白表示となっているものを、図１３に示すように、Ｂ２画素のみを黒表示とし、他の画素Ａ１，Ａ２，Ａ３，Ｂ１，Ｂ３，Ｃ１，Ｃ２，Ｃ３を白表示とするものである。尚、この制御は、表示制御部５６がＣＨ１・ＣＨ２ドライバを、図１９に示す駆動電圧の波形により駆動して行う。図１９に示す駆動電圧の波形のデータは、表示制御部５６の駆動波形メモリ５６Ａに記憶されており、表示制御部５６が駆動波形メモリ５６Ａから読み出して、ＣＨ１・ＣＨ２ドライバを制御して、第二電極１４への電圧の印加を行う。尚、黒色から白色となる画素Ａ１が「第二の色から第一の色に変化させる特定画素」に相当し、画素Ａ２，Ｂ１が「第一の色のまま維持される隣接画素」相当し、画素Ａ３，Ｂ３，Ｃ１，Ｃ２，Ｃ３が「周辺画素」に相当する。
【００６１】
以下、図１９に示す第二電極１４へ印加される駆動電圧の波形と、図１２乃至図１８を参照して、各画素Ａ１〜Ｃ３の駆動を説明する。尚、図１９に示す駆動電圧の波形は、第二電極１４に印加される制御電圧の波形であり、パルス幅は、基本を１０msecとし、電圧は、＋２０Ｖ、＋１０Ｖ、０Ｖ、−５Ｖ、−２０Ｖの間で変化する。尚、パルス幅は、１０msecには限られず、白色帯電粒子２２の移動時間を考慮して、適宜設定すれば良い。さらに、本第２実施の形態の表示パネル２では、第一電極１１の電圧は、常時０Ｖとなっている。また、電圧を印加する回数も１回には限られず、適宜設定すれば良い。
【００６２】
この第２実施の形態では、まず、初期状態（時間０msec）では、各画素Ａ１〜Ｃ３の第二電極１４の電圧は、０Ｖである。この状態で、図１２に示すように、画素Ａ１のみ黒色、他の他の画素Ａ２，Ａ３，Ｂ１，Ｂ２，Ｂ３，Ｃ１，Ｃ２，Ｃ３が全て、白表示となっている。この状態から次のように制御される。まず、１０msec（Ｔ１）に、画素Ａ１の第二電極１４に＋２０Ｖを印加し、図１４に示すように、画素Ａ１の隣接画素Ａ２，Ｂ１，Ｂ２から白色帯電粒子２２を画素Ａ１方向へ寄せ集める。
【００６３】
次に、２０msec（Ｔ２）に、画素Ａ１の第二電極１４は＋２０Ｖに維持したまま、画素Ａ２，Ｂ１，Ｂ２の第二電極１４に、＋１０Ｖを印加する。次に、３０msec（Ｔ３）に、画素Ａ１の第二電極１４は、＋１０Ｖに降圧し、画素Ａ２，Ｂ１，Ｂ２の第二電極１４は、＋１０Ｖで維持したまま、画素Ａ３，Ｂ３，Ｃ１，Ｃ２，Ｃ３の第二電極１４に＋１０Ｖを印加する。次いで、４０msec（Ｔ４）に、全画素Ａ１〜Ｃ３の第二電極１４に−５Ｖを印加し、次いで、５０msec（Ｔ５）に、全画素Ａ１〜Ｃ３の第二電極１４を０Ｖにする。
【００６４】
次に、６０msec（Ｔ６）に、画素Ａ１の第二電極１４に＋２０Ｖを印加し、他の画素Ａ２，Ａ３，Ｂ１，Ｂ２，Ｂ３，Ｃ１，Ｃ２，Ｃ３の第二電極１４を０Ｖを印加し、７０msec（Ｔ７）に、画素Ａ１の第二電極１４は＋２０Ｖに維持したまま、画素Ａ２，Ｂ１，Ｂ２の第二電極１４に、＋１０Ｖを印加する。次に、８０msec（Ｔ８）に、画素Ａ１の第二電極１４は、＋１０Ｖに降圧し、画素Ａ２，Ｂ１，Ｂ２の第二電極１４は、＋１０Ｖで維持したまま、画素Ａ３，Ｂ３，Ｃ１，Ｃ２，Ｃ３の第二電極１４に＋１０Ｖを印加する。次いで、９０msec（Ｔ９）に、全画素Ａ１〜Ｃ３の第二電極１４に−５Ｖを印加し、次いで、１００msec（Ｔ１０）に、画素Ｂ２の第二電極１４に−２０Ｖを印加し、残りの画素Ａ１，Ａ２，Ａ３，Ｂ１，Ｂ３，Ｃ１，Ｃ２，Ｃ３の第二電極１４に−１０Ｖを印加する。次いで、１１０msec（Ｔ１１）に、全画素Ａ１〜Ｃ３の第二電極１４に＋１０Ｖを印加する。
【００６５】
次に、１２０msec（Ｔ１２）に、画素Ａ１の第二電極１４に＋２０Ｖを印加し、他の画素Ａ２，Ａ３，Ｂ１，Ｂ２，Ｂ３，Ｃ１，Ｃ２，Ｃ３の第二電極１４に＋１０Ｖを印加し、１３０msec（Ｔ１３）に、全画素Ａ１〜Ｃ３の第二電極１４に−５Ｖを印加し、１４０msec（Ｔ１４）に、画素Ｂ２の第二電極１４に−２０Ｖを印加し、残りの画素Ａ１，Ａ２，Ａ３，Ｂ１，Ｂ３，Ｃ１，Ｃ２，Ｃ３の第二電極１４に−１０Ｖを印加する。次いで、１５０msec（Ｔ１５）に、画素Ｂ２の第二電極１４を０Ｖにし、残りの画素Ａ１，Ａ２，Ａ３，Ｂ１，Ｂ３，Ｃ１，Ｃ２，Ｃ３の第二電極１４は−１０Ｖのままとする。次に、１６０msec（Ｔ１６）に、全画素Ａ１〜Ｃ３の第二電極１４を０Ｖにする。上記の駆動により、図１５に示すように、白色帯電粒子２２が画素Ａ１に寄せ集められると共に、画素Ｂ２から周囲の隣接画素に白色帯電粒子２２が送り出される。
【００６６】
以後、１６０msec（Ｔ１６）〜２７０msec（Ｔ２７）間の画素Ａ１〜Ｃ３の第二電極１４の駆動電圧の制御は、５０msec（Ｔ５）〜１６０msec（Ｔ１６）間の駆動電圧の制御と同じであり、２７０msec（Ｔ２７）〜３６０msec（Ｔ３６）間の画素Ａ１〜Ｃ３の第二電極１４の駆動電圧の制御も、５０msec（Ｔ５）〜１６０msec（Ｔ１６）間の駆動電圧の制御と同じである。これらの駆動処理により図１６に示す状態と図１７に示す状態が繰り返されて、図１８に示す状態を経て、図１３に示す画素Ｂ２のみが黒色表示となる。
【００６７】
次に、図２０乃至図２２を参照して、上記第２実施の形態での表示パネル２の内部の白色帯電粒子２２の移動について説明する。図２０（Ａ）に示すように、画素Ａ１が、黒色、画素Ａ２及びＡ３が白色の場合には、表示パネル２の内部では、画素Ａ２及びＡ３の第一電極１１の背面に白色帯電粒子２２が付着し、画素Ａ１では、黒色の絶縁膜１２が目視できる状態となっている。そして、前記駆動波形により、図２０（Ｃ）に示すように、白色帯電粒子２２が第二電極１４に引き寄せられる状態と、図２０（Ｄ）に示すように、白色帯電粒子２２が第一電極１１に引き寄せられる状態とを繰り返して、図２１（Ａ）及び（Ｂ）に示すように、白色帯電粒子２２が分散されて、画素Ａ１側に移動した状態となる。次いで、図２１（Ｃ）に示すように、白色帯電粒子２２が画素Ａ１の第二電極１４に引き寄せられる状態と、図２１（Ｄ）に示すように、画素Ａ１の白色帯電粒子２２が第一電極１１に引き寄せられる状態と、図２１（Ｅ）に示すように、画素Ａ１，Ａ２，Ａ３の白色帯電粒子２２が第一電極１１に引き寄せられる状態と、図２１（Ｆ）に示すように、画素Ａ１，Ａ２，Ａ３の各第二電極１４に白色帯電粒子２２が引き寄せられる状態と、図２２（Ａ）に示すように、画素Ａ１，Ａ２，Ａ３の各第二電極１４に白色帯電粒子２２が引き寄せられる状態と、図２２（Ｂ）に示すように、画素Ａ１の白色帯電粒子２２が第一電極１１に引き寄せられる状態と、図２２（Ｃ）に示すように、画素Ａ１，Ａ２，Ａ３の白色帯電粒子２２が第一電極１１に引き寄せられる状態とを経て、図２２（Ｄ）に示すように、画素Ａ１，Ａ２，Ａ３の第一電極１１に白色帯電粒子２２が引き寄せられる状態になり、図２２（Ｅ）に示すように、画素Ａ１側にも、白色帯電粒子２２が引き寄せられる状態となる。このように白色帯電粒子２２は、第一電極１１と第二電極１４との間で、上下方向に移動されながら、画素Ａ１方向に引き寄せられる。
【００６８】
次に、図２３乃至図２６を参照して、本発明の第３実施の形態における、画像表示装置１の表示パネル２について説明する。図２３は、第３実施の形態の表示パネル２の初期状態の正面図であり、図２４は、第３実施の形態の表示パネル２の駆動中の正面図であり、図２５は、第３実施の形態の表示パネル２の駆動完了後の正面図であり、図２６は、第二電極１４へ印加される駆動電圧の波形を示す画素毎の電圧制御図である。
【００６９】
図２３に示すように、画像表示装置１の第３実施の形態の表示パネル２は、一例として、正面視正方形の画素Ａ１，Ａ２，Ａ３，Ｂ１，Ｂ２，Ｂ３，Ｃ１，Ｃ２，Ｃ３，Ｄ１，Ｄ２，Ｄ３，Ｅ１，Ｅ２，Ｅ３を５行３列に設けて、正面視、長方形に形成されている。他の構成は、第１実施の形態と同じである。
【００７０】
この第３実施の形態では、図２３に示す表示パネル２の初期状態では、画素Ａ２，Ｂ１，Ｂ２，Ｃ２，Ｄ２，Ｅ２が黒表示、他の画素Ａ１，Ａ３，Ｂ３，Ｃ１，Ｃ３，Ｄ１，Ｄ３，Ｅ１，Ｅ３が白表示となり、数字「１」が表示されている。そして、図２４に示す矢印方向に白色帯電粒子２２を画素間で移動させて、図２５に示すように、画素Ａ１，Ａ２，Ａ３，Ｂ３，Ｃ２，Ｄ１，Ｅ１，Ｅ２，Ｅ３が黒表示、他の画素Ｂ１，Ｂ２，Ｃ１，Ｃ３，Ｄ２，Ｄ３が白表示となり、数字「２」が表示されるものである。尚、この制御は、第１実施の形態と同様に表示制御部５６がＣＨ１・ＣＨ２ドライバを、図２６に示す駆動電圧の波形により駆動して行う。図２６に示す駆動電圧の波形のデータは、表示制御部５６の駆動波形メモリ５６Ａに記憶されており、表示制御部５６が駆動波形メモリ５６Ａから読み出して、ＣＨ１・ＣＨ２ドライバを制御して、各画素の第二電極１４への電圧の印加を行う。
【００７１】
以下、図２６に示す第二電極１４へ印加される駆動電圧の波形を参照して、各画素Ａ１〜Ｅ３の駆動を説明する。尚、図２６に示す駆動電圧の波形は、第二電極１４に印加される制御電圧の波形であり、パルス幅は、基本を１０msecとし、電圧は、＋２０Ｖ、＋１０Ｖ、０Ｖ、−５Ｖ、−１０Ｖ、−２０Ｖの間で変化する。尚、パルス幅は、１０msecには限られず、白色帯電粒子２２の移動時間を考慮して、適宜設定すれば良い。さらに、本実施の形態では、第一電極１１の電圧は、常時０Ｖとなっている。
【００７２】
本実施の形態では、まず、初期状態（時間０msec）では、各画素Ａ１〜E３の第二電極１４の電圧は、０Ｖである。この状態で、図２３に示すように、画素Ａ２，Ｂ１，Ｂ２，Ｃ２，Ｄ２，Ｅ２が黒表示、他の画素Ａ１，Ａ３，Ｂ３，Ｃ１，Ｃ３，Ｄ１，Ｄ３，Ｅ１，Ｅ３が白表示となり、数字「１」が表示されている。この状態から以下説明する第二電極１４への駆動電圧の印加により、白色帯電粒子２２を、画素Ａ１から画素Ｂ１，Ｂ２へ移動し、画素Ａ３から画素Ｂ２へ移動し、画素Ｂ３から画素Ｂ２へ移動し、画素Ｅ３から画素Ｄ２，Ｄ３へ移動し、画素Ｅ１から画素Ｄ２へ移動し、さらに、画素Ｅ１から画素Ｄ１へ、画素Ｄ１から画素Ｃ１へ、画素Ｃ１から画素Ｂ１へ移動する。
【００７３】
次に、１０msec（Ｔ１）に、画素Ｂ１，Ｂ２，Ｄ２の第二電極１４に＋２０Ｖを印加し、他の画素Ａ１，Ａ２，Ａ３，Ｂ３，Ｃ１，Ｃ２，Ｃ３，Ｄ１，Ｄ３，Ｅ１，Ｅ２，Ｅ３の第二電極１４は０Ｖにする。次いで、２０msec（Ｔ２）に、画素Ｂ１，Ｂ２，Ｄ２の第二電極１４に＋２０Ｖを印加したまま、画素Ａ１，Ａ３，Ｂ３，Ｄ１，Ｅ１，Ｅ３の第二電極１４に＋１０Ｖを印加し、画素Ａ２，Ｃ１，Ｃ２，Ｃ３，Ｄ３，Ｅ２の第二電極１４は０Ｖにする。
【００７４】
次に、３０msec（Ｔ３）に、画素Ａ１，Ａ３，Ｂ３，Ｄ１，Ｅ１，Ｅ３の第二電極１４に＋１０Ｖを印加したまま、画素Ｂ１，Ｂ２，Ｄ２の第二電極１４の電圧を＋１０Ｖに降下し、画素Ｃ１，Ｃ３，Ｄ３の第二電極１４に＋１０Ｖを印加し、画素Ａ２，Ｃ２，Ｅ２の第二電極１４は０Ｖにする。次に、４０msec（Ｔ４）に、画素Ａ１〜Ｅ３の第二電極１４に−５Ｖを印加する。
【００７５】
次に、５０msec（Ｔ５）に、画素Ａ１〜Ｅ３の第二電極１４を０Ｖにし、次に、６０msec（Ｔ６）に、画素Ｂ１，Ｂ２，Ｄ２の第二電極１４に＋２０Ｖを印加し、他の画素Ａ１，Ａ２，Ａ３，Ｂ３，Ｃ１，Ｃ２，Ｃ３，Ｄ１，Ｄ３，Ｅ１，Ｅ２，Ｅ３の第二電極１４は０Ｖとし、次に、７０msec（Ｔ７）に、画素Ｂ１，Ｂ２，Ｄ２の第二電極１４に＋２０Ｖを印加したまま、画素Ａ１，Ａ３，Ｂ３，Ｄ１，Ｅ１，Ｅ３の第二電極１４に＋１０Ｖを印加し、画素Ａ２，Ｃ１，Ｃ２，Ｃ３，Ｄ３，Ｅ２の第二電極１４は０Ｖにする。
【００７６】
次に、８０msec（Ｔ８）に、画素Ａ１，Ａ３，Ｂ３，Ｄ１，Ｅ１，Ｅ３の第二電極１４に＋１０Ｖを印加したまま、画素Ｂ１，Ｂ２，Ｄ２の第二電極１４の電圧を＋１０Ｖに降下し、画素Ｃ１，Ｃ３，Ｄ３の第二電極１４に＋１０Ｖを印加し、画素Ａ２，Ｃ２，Ｅ２の第二電極１４は０Ｖとし、次に、９０msec（Ｔ９）に、画素Ａ１〜Ｅ３の第二電極１４に−５Ｖを印加し、次に、１００msec（Ｔ１０）に、画素Ａ１，Ａ２，Ａ３，Ｂ３，Ｃ２，Ｄ１，Ｅ１，Ｅ２，Ｅ３の第二電極１４に−２０Ｖを印加し、画素Ｂ１，Ｂ２，Ｃ１，Ｃ３，Ｄ２，Ｄ３の第二電極１４に−１０Ｖを印加する。
【００７７】
次に、１１０msec（Ｔ１１）に、画素Ａ１，Ａ３，Ｂ１，Ｂ２，Ｂ３，Ｃ１，Ｃ３，Ｄ１，Ｄ２，Ｄ３，Ｅ１，Ｅ３の第二電極１４に＋１０Ｖを印加し、画素Ａ２，Ｃ２，Ｅ２の第二電極１４を０Ｖにし、次に、１２０msec（Ｔ１２）に、画素Ｂ１，Ｂ２，Ｄ２の第二電極１４に＋２０Ｖを印加し、画素Ａ１，Ａ３，Ｂ３，Ｃ１，Ｃ３，Ｄ１，Ｄ３，Ｅ１，Ｅ３の第二電極１４を＋１０Ｖに維持したまま、画素Ａ２，Ｃ２，Ｅ２の第二電極１４を０Ｖに維持する。
【００７８】
次に、１３０msec（Ｔ１３）に、画素Ａ１〜Ｅ３の第二電極１４に−５Ｖを印加し、１４０msec（Ｔ１４）に、画素Ａ１，Ａ２，Ａ３，Ｂ３，Ｃ２，Ｄ１，Ｅ１，Ｅ２，Ｅ３の第二電極１４に−２０Ｖを印加し、画素Ｂ１，Ｂ２，Ｃ１，Ｃ３，Ｄ２，Ｄ３の第二電極１４に−１０Ｖを印加し、１５０msec（Ｔ１５）に、画素Ａ１，Ａ３，Ｂ３，Ｄ１，Ｅ１，Ｅ３の第二電極１４を０Ｖにし、画素Ａ２，Ｂ１，Ｂ２，Ｃ１，Ｃ２，Ｃ３，Ｄ２，Ｄ３，Ｅ２の第二電極１４を−１０Ｖにし、１６０msec（Ｔ１６）に、画素Ａ１〜Ｅ３の第二電極１４を０Ｖにする。
【００７９】
次に、１７０msec（Ｔ１７）に、画素Ｂ１，Ｂ２，Ｄ２の第二電極１４に＋２０Ｖを印加し、他の画素Ａ１，Ａ２，Ａ３，Ｂ３，Ｃ１，Ｃ２，Ｃ３，Ｄ１，Ｄ３，Ｅ１，Ｅ２，Ｅ３の第二電極１４は０Ｖとし、次に、１８０msec（Ｔ１８）に、画素Ｂ１，Ｂ２，Ｄ２の第二電極１４に＋２０Ｖを印加したまま、画素Ａ１，Ａ３，Ｂ３，Ｄ１，Ｅ１，Ｅ３の第二電極１４に＋１０Ｖを印加し、画素Ａ２，Ｃ１，Ｃ２，Ｃ３，Ｄ３，Ｅ２の第二電極１４は０Ｖとし、１９０msec（Ｔ１９）に、画素Ａ１，Ａ３，Ｂ１，Ｂ２，Ｂ３，Ｃ１，Ｃ３，Ｄ１，Ｄ２，Ｄ３，Ｅ１，Ｅ３の第二電極１４に＋１０Ｖを印加し、画素Ａ２，Ｃ２，Ｅ２の第二電極１４は０Ｖとし、２００msec（Ｔ２０）に、画素Ａ１〜Ｅ３の第二電極１４に−５Ｖを印加する。次に、２１０msec（Ｔ２１）に、画素Ａ１，Ａ２，Ａ３，Ｂ３，Ｃ２，Ｄ１，Ｅ１，Ｅ２，Ｅ３の第二電極１４に−２０Ｖを印加し、画素Ｂ１，Ｂ２，Ｃ１，Ｃ３，Ｄ２，Ｄ３の第二電極１４に−１０Ｖを印加する。
【００８０】
次に、２２０msec（Ｔ２２）に、画素Ａ１，Ａ３，Ｂ１，Ｂ２，Ｂ３，Ｃ１，Ｃ３，Ｄ１，Ｄ２，Ｄ３，Ｅ１，Ｅ３の第二電極１４に＋１０Ｖを印加し、画素Ａ２，Ｃ２，Ｅ２の第二電極１４を０Ｖにし、２３０msec（Ｔ２３）に、画素Ｂ１，Ｂ２，Ｄ２の第二電極１４に＋２０Ｖを印加し、画素Ａ１，Ａ３，Ｂ３，Ｃ１，Ｃ３，Ｄ１，Ｄ３，Ｅ１，Ｅ３の第二電極１４を＋１０Ｖに維持したまま、画素Ａ２，Ｃ２，Ｅ２の第二電極１４を０Ｖに維持する。次いで、２４０msec（Ｔ２４）に、画素Ａ１〜Ｅ３の第二電極１４に−５Ｖを印加し、２５０msec（Ｔ２５）に、画素Ａ１，Ａ２，Ａ３，Ｂ３，Ｃ２，Ｄ１，Ｅ１，Ｅ２，Ｅ３の第二電極１４に−２０Ｖを印加し、画素Ｂ１，Ｂ２，Ｃ１，Ｃ３，Ｄ２，Ｄ３の第二電極１４に−１０Ｖを印加し、次に、２６０msec（Ｔ２６）に、画素Ａ１，Ａ２，Ａ３，Ｂ３，Ｃ２，Ｄ１，Ｅ１，Ｅ２，Ｅ３の第二電極１４を０Ｖにし、画素Ｂ１，Ｂ２，Ｃ１，Ｃ３，Ｄ２，Ｄ３の第二電極１４を−１０Ｖにする。
【００８１】
次に、２７０msec（Ｔ２７）に、画素Ａ１〜Ｅ３の第二電極１４を０Ｖにする。次に、２８０msec（Ｔ２８）に、画素Ｂ１，Ｂ２，Ｄ２の第二電極１４に＋２０Ｖを印加し、他の画素Ａ１，Ａ２，Ａ３，Ｂ３，Ｃ１，Ｃ２，Ｃ３，Ｄ１，Ｄ３，Ｅ１，Ｅ２，Ｅ３の第二電極１４は０Ｖにする。次に、２９０msec（Ｔ２９）に、画素Ｂ１，Ｂ２，Ｄ２の第二電極１４に＋２０Ｖを印加したまま、画素Ａ１，Ａ３，Ｂ３，Ｄ１，Ｅ１，Ｅ３の第二電極１４に＋１０Ｖを印加し、画素Ａ２，Ｃ１，Ｃ２，Ｃ３，Ｄ３，Ｅ２の第二電極１４は０Ｖにする。
【００８２】
次に、３００msec（Ｔ３０）に、画素Ａ１，Ａ３，Ｂ１，Ｂ２，Ｂ３，Ｃ１，Ｃ３，Ｄ１，Ｄ２，Ｄ３，Ｅ１，Ｅ３の第二電極１４に＋１０Ｖを印加し、画素Ａ２，Ｃ２，Ｅ２の第二電極１４は０Ｖとし、３１０msec（Ｔ３１）に、画素Ａ１〜Ｅ３の第二電極１４に−５Ｖを印加する。次に、３２０msec（Ｔ３２）に、画素Ａ１，Ａ２，Ａ３，Ｂ３，Ｃ２，Ｄ１，Ｅ１，Ｅ２，Ｅ３の第二電極１４に−２０Ｖを印加し、画素Ｂ１，Ｂ２，Ｃ１，Ｃ３，Ｄ２，Ｄ３の第二電極１４に−１０Ｖを印加する。
【００８３】
次に、３３０msec（Ｔ３３）に、画素Ａ１，Ａ３，Ｂ１，Ｂ２，Ｂ３，Ｃ１，Ｃ３，Ｄ１，Ｄ２，Ｄ３，Ｅ１，Ｅ３の第二電極１４に＋１０Ｖを印加し、画素Ａ２，Ｃ２，Ｅ２の第二電極１４を０Ｖにし、次に、３４０msec（Ｔ３４）に、画素Ｂ１，Ｂ２，Ｄ２の第二電極１４に＋２０Ｖを印加し、画素Ａ１，Ａ３，Ｂ３，Ｃ１，Ｃ３，Ｄ１，Ｄ３，Ｅ１，Ｅ３の第二電極１４を＋１０Ｖに維持したまま、画素Ａ２，Ｃ２，Ｅ２の第二電極１４を０Ｖに維持する。次に、３５０msec（Ｔ３５）に、画素Ａ１〜Ｅ３の第二電極１４に−５Ｖを印加する。
【００８４】
次に、３６０msec（Ｔ３６）に、画素Ａ１，Ａ２，Ａ３，Ｂ３，Ｃ２，Ｄ１，Ｅ１，Ｅ２，Ｅ３の第二電極１４に−２０Ｖを印加し、画素Ｂ１，Ｂ２，Ｃ１，Ｃ３，Ｄ２，Ｄ３の第二電極１４に−１０Ｖを印加し、次に、３７０msec（Ｔ３７）に、画素Ａ１，Ａ２，Ａ３，Ｂ３，Ｃ２，Ｄ１，Ｅ１，Ｅ２，Ｅ３の第二電極１４を０Ｖにし、画素Ｂ１，Ｂ２，Ｃ１，Ｃ３，Ｄ２，Ｄ３の第二電極１４を−１０Ｖにする。この状態で、図２５に示すように、表示パネル２に数字「２」が表示される。
【００８５】
以上説明したように、本発明の第３実施の形態では、表示パネル２を用いて数字や文字等の表示も可能である。また、黒色から白色に変化する画素Ａ１と隣り合う画素Ａ２，Ｂ１が時間差を持って駆動されるので、白色帯電粒子２２の移動をスムーズに行うことができる。また、黒色のまま維持される画素Ｃ２には、その隣接画素Ｃ１、Ｃ３が白色表示となる場合には、最低の負電圧（一例として−５Ｖ）を印加するようにすればよい。尚、画素の構成は、５行３列に限られず、表示する文字に合わせて画素数を増やしても良い。
【００８６】
次に、本発明の第４実施の形態を図２７乃至図４０を参照して説明する。図２７は、第４実施の形態の表示パネル２の正面図であり、図２８は、図２７のＸ２−Ｘ２線に於ける表示パネル２の矢視方向断面図であり、図２９は、第４実施の形態の表示パネル２の正面図であり、図３０及び図３１は、図２９のＸ３−Ｘ３線に於ける表示パネル２の矢視方向断面図であり、図３２は、第４実施の形態の表示パネル２の正面図であり、図３３及び図３４は、図３２のＸ４−Ｘ４線に於ける表示パネル２の矢視方向断面図であり、図３５は、第４実施の形態の表示パネル２の正面図であり、図３６及び図３７は、図３５のＸ５−Ｘ５線に於ける表示パネル２の矢視方向断面図であり、図３８は、第二電極１４へ印加される駆動電圧の波形を示す画素毎の電圧制御図である。
【００８７】
第４実施の形態の表示パネル２の物理的構成の概略について説明する。図２７及び図２８に示すように、表示パネル２は、正面視正方形の画素Ａ１，Ａ２，Ａ３，Ｂ１，Ｂ２，Ｂ３，Ｃ１，Ｃ２，Ｃ３を３行３列に設けて正方形に形成され、その周囲に所定幅の縁部４０が設けられている。そして、画素Ａ１，Ａ２，Ａ３，Ｂ１，Ｂ２，Ｂ３，Ｃ１，Ｃ２，Ｃ３は、第１実施の形態と同様に第一電極１１、絶縁膜１２、第二基板１３、第二電極１４、表示部１５等を備えた構造となっており、内部の白色帯電粒子２２を第一基板１０側から目視可能となっている。また、絶縁膜１２の表面は、黒色に着色され、白色帯電粒子２２と絶縁膜１２の表面とで画像を表示するようになっている。また、白色帯電粒子２２は、負に帯電しており、画素Ａ１，Ａ２，Ａ３，Ｂ１，Ｂ２，Ｂ３，Ｃ１，Ｃ２，Ｃ３間を移動可能であり、更に、縁部４０の裏側にも移動可能となっている。この縁部４０は、光透過性でない材質から形成され、縁部４０の裏面側には、第一電極１１に接続された第一外周電極１１Ａが設けられており、縁部４０の裏面側は正面視した場合に見えないようになっている。
【００８８】
また、図２８に示すように、第４実施の形態では、第一基板１０は透明なガラス基板であり、第一基板１０の下面（図２８に於ける）に設けられた第一電極１１は酸化インジウムスズにより形成された透明電極であり、画素Ａ１，Ａ２，Ａ３，Ｂ１，Ｂ２，Ｂ３，Ｃ１，Ｃ２，Ｃ３に共通の電極となっており、縁部４０の裏側に形成された第一外周電極１１Ａも接続されている。従って、第一電極１１及び第一外周電極１１Ａは、同電位となり、本実施の形態では、０Ｖになっている。また、第一基板１０及び第一電極１１は全て透明体であり、利用者が第一基板１０の上方向（図２８上方向）から内部を視認可能となっている。また、図２８に示すように、第二電極１４は、画素Ａ１，Ａ２，Ａ３，Ｂ１，Ｂ２，Ｂ３，Ｃ１，Ｃ２，Ｃ３に対応して設けられており、更に、図２８に示すように、縁部４０（第一外周電極１１Ａ）に対向する第二基板１３側には、第二外周電極１７が設けられている。
【００８９】
尚、図３８に示す駆動電圧の波形は、各画素Ａ１〜Ｃ３の第二電極１４及び縁部４０の第二外周電極１７に印加される制御電圧の波形であり、パルス幅は、基本を１０msecとし、電圧は、各画素Ａ１〜Ｃ３の第二電極１４へ印加される電圧は、＋１０Ｖ、＋５Ｖ、０Ｖ、−５Ｖの間で変化する。また、縁部４０の第二外周電極１７へ印加される電圧は、＋２０Ｖ、＋１５、＋１０Ｖ、＋５Ｖ、０Ｖの間で変化する。尚、パルス幅は、１０msecには限られず、白色帯電粒子２２の移動時間を考慮して、適宜設定すれば良い。さらに、本実施の形態では、第一電極１１及び第一外周電極１１Ａの電圧は、常時０Ｖとなっている。
【００９０】
本第４実施の形態では、まず、初期状態（時間０msec）では、各画素Ａ１〜Ｃ３の第二電極１４の電圧及び第二外周電極１７の電圧は、０Ｖである。この状態で、図２８に示すように、負に帯電した白色帯電粒子２２が各画素Ａ１〜Ｃ３の第一基板１０側の第一電極１１に引き寄せられて、全白の表示状態となっている。次いで、１０msec（Ｔ１）に、各画素Ａ１〜Ｃ３の第二電極１４に＋５Ｖを印加し、第二外周電極１７に＋１０Ｖを印加して、図３０に示すように、各画素Ａ１〜Ｃ３の第一電極１１側に張り付いた白色帯電粒子２２を剥がした状態にする。この状態の時に、表示パネル２を正面視すると、図２９に示すように灰色に見える。
【００９１】
次いで、２０msec（Ｔ２）に、各画素Ａ１〜Ｃ３の第二電極１４に−５Ｖを印加し、第二外周電極１７に＋１０Ｖを印加して、図３１に示すように、各画素Ａ１〜Ｃ３の第一電極１１側に白色帯電粒子２２を向かわせると共に、第二外周電極１７に白色帯電粒子２２を引き寄せる。
【００９２】
次いで、３０msec（Ｔ３）に、画素Ｂ２の第二電極１４を０Ｖにし、他の各画素Ａ１〜Ｃ３の第二電極１４に＋５Ｖを印加し、第二外周電極１７に＋１５Ｖを印加して、図３３に示すように、各画素Ａ１〜Ｃ３の第二電極１４側に白色帯電粒子２２を引き寄せると共に第二外周電極１７に白色帯電粒子２２を引き寄せる。この状態の時に、表示パネル２を正面視すると、図３２に示すように黒に近い灰色に見える。
【００９３】
次いで、４０msec（Ｔ４）に、画素Ｂ２の第二電極１４を０Ｖにし、他の各画素Ａ１〜Ｃ３の第二電極１４に−５Ｖを印加し、第二外周電極１７に＋１５Ｖを印加して、図３４に示すように、各画素Ａ１〜Ｃ３の第一電極１１側に白色帯電粒子２２を向かわせると共に、第二外周電極１７に白色帯電粒子２２を引き寄せる。
【００９４】
次いで、５０msec（Ｔ５）に、画素Ｂ２の第二電極１４を０Ｖにし、他の各画素Ａ１〜Ｃ３の第二電極１４に＋１０Ｖを印加し、第二外周電極１７に＋２０Ｖを印加して、図３６に示すように、第二外周電極１７に白色帯電粒子２２を引き寄せる。この状態の時に、表示パネル２を正面視すると、図３５に示すように、黒い絶縁膜１２の表面が見えるので、各画素Ａ１〜Ｃ３は黒色に見える。
【００９５】
次いで、６０msec（Ｔ６）に、各画素Ａ１〜Ｃ３の第二電極１４及び第二外周電極１７に０Ｖを印加して、図３７に示すように、第二外周電極１７に白色帯電粒子２２を引き寄せた状態にする。
【００９６】
以上説明したように、第４実施の形態の表示パネル２では、画素Ａ１〜Ｃ３の部分を黒色表示とする場合には、白色帯電粒子２２が第二外周電極１７に引き寄せられて縁部４０の下になるので、画素Ａ１〜Ｃ３に白色帯電粒子２２が存在せず、コントラストを向上できる。また、印加電圧を余分にかける必要がない。
【００９７】
次に、本発明の第５実施の形態を図３９乃至図５０を参照して説明する。図３９は、第５実施の形態の表示パネル２の正面図であり、図４０は、図３９のＸ５−Ｘ５線に於ける表示パネル２の矢視方向断面図であり、図４１は、第５実施の形態の表示パネル２の正面図であり、図４２及び図４３は、図４１のＸ６−Ｘ６線に於ける表示パネル２の矢視方向断面図であり、図４４は、第５実施の形態の表示パネル２の正面図であり、図４５及び図４６は、図４４のＸ７−Ｘ７線に於ける表示パネル２の矢視方向断面図であり、図４７は、第５実施の形態の表示パネル２の正面図であり、図４８及び図４９は、図４７のＸ８−Ｘ８線に於ける表示パネル２の矢視方向断面図であり、図５０は、第二電極１４へ印加される駆動電圧の波形を示す画素毎の電圧制御図である。
【００９８】
この第５実施の形態の表示パネル２の物理的・電気的構成は、第４実施の形態と同様であり、以下の例では、表示パネル２が黒色から白色に変化する場合を説明する。
【００９９】
尚、図５０に示す駆動電圧の波形は、各画素Ａ１〜Ｃ３の第二電極１４及び縁部４０の第二外周電極１７に印加される制御電圧の波形であり、パルス幅は、基本を１０msecとし、電圧は、第二電極１４へ印加される電圧は、＋２０Ｖ、＋１０Ｖ、＋５Ｖ、０Ｖ、−５、−１０Ｖの間で変化する。また、第二外周電極１７へ印加される電圧は、−１０、０Ｖの間で変化する。尚、パルス幅は、１０msecには限られず、白色帯電粒子２２の移動時間を考慮して、適宜設定すれば良い。さらに、本実施の形態では、第一電極１１及び第一外周電極１１Ａの電圧は、常時０Ｖとなっている。
【０１００】
本第５実施の形態では、まず、初期状態（時間０msec）では、各画素Ａ１〜Ｃ３の第二電極１４の電圧及び第二外周電極１７の電圧は、０Ｖである。この状態で、図３９及び図４０に示すように、負に帯電した白色帯電粒子２２が第二外周電極１７に引き寄せられており、第一基板１０からの目視可能範囲には、白色帯電粒子２２がなく、全黒の表示状態となっている。次いで、１０msec（Ｔ１）に、各画素Ａ１〜Ｃ３の第二電極１４に−５Ｖを印加し、第二外周電極１７に−１０Ｖを印加して、図４２に示すように、第二外周電極１７に引き寄せられた白色帯電粒子２２を第一電極１１方向に移動させる状態にする。この状態の時に、表示パネル２を正面視すると、図４１に示すように黒に近い灰色に見える。
【０１０１】
次いで、２０msec（Ｔ２）に、画素Ｂ２の第二電極１４に＋２０Ｖを印加し、他の画素Ａ１，Ａ２，Ａ３，Ｂ１，Ｂ３，Ｃ１，Ｃ２，Ｃ３の第二電極１４に＋１０Ｖを印加し、第二外周電極１７は０Ｖにして、図４３に示すように、画素Ｂ２の第二電極１４方向に白色帯電粒子２２を向かわせる。
【０１０２】
次いで、３０msec（Ｔ３）に、各画素Ａ１〜Ｃ３の第二電極１４に−５Ｖを印加し、第二外周電極１７に−１０Ｖを印加して、図４５に示すように、各画素Ａ１〜Ｃ３の第一電極１１側に白色帯電粒子２２を向かわせる。この状態の時に、表示パネル２を正面視すると、図４４に示すように灰色に見える。
【０１０３】
次いで、４０msec（Ｔ４）に、画素Ｂ２の第二電極１４に＋１０Ｖを印加し、他の画素Ａ１，Ａ２，Ａ３，Ｂ１，Ｂ３，Ｃ１，Ｃ２，Ｃ３の第二電極１４に＋５Ｖを印加し、第二外周電極１７は０Ｖにして、図４６に示すように、第二電極１４側に白色帯電粒子２２を向かわせると共に、画素Ｂ２の第二電極１４方向に白色帯電粒子２２を向かわせる。
【０１０４】
次いで、５０msec（Ｔ５）に、各画素Ａ１〜Ｃ３の第二電極１４に−１０Ｖを印加し、第二外周電極１７を０Ｖにして、図４８に示すように、第二外周電極１７に白色帯電粒子２２を引き寄せる。この状態の時に、表示パネル２を正面視すると、図４７に示すように、白色帯電粒子２２が見えるので、各画素Ａ１〜Ｃ３は白色に見える。
【０１０５】
次いで、６０msec（Ｔ６）に、各画素Ａ１〜Ｃ３の第二電極１４及び第二外周電極１７を０Ｖにして、図４９に示すように、第二外周電極１７に白色帯電粒子２２を引き寄せた状態にする。この状態の表示パネル２を正面視すると図４７に示すように画素Ａ１〜Ｃ３が白表示となっている。
【０１０６】
以上説明したように、第５実施の形態の表示パネル２では、画素Ａ１〜Ｃ３の部分を黒色表示から白表示とする場合には、縁部４０の下の第二外周電極１７に引き寄せられた白色帯電粒子２２を第一電極１１に引き寄せて、前面白表示となるので、コントラストを向上できる。また、印加電圧を余分にかける必要がない。
【０１０７】
尚、本発明は、上記実施の形態に限られず、各種の変形が可能である。例えば、図５１に示すように、表示パネル２を全面を黒表示にさせる場合は、画素領域の周辺に、表示面から隠され、かつ電極（画素電極の配置数と同等）が配置された領域２Ａを設けておき、その部分に前述した波状伝達型の駆動を繰り返すことにより、白色帯電粒子を全て移動させ、格納するようにしてもよい。
【０１０８】
次に、図５２を参照して、図２７に示した、各画素Ａ１〜Ｃ３及び縁部４０を一つの単位として、それを複数配置（５×５）した場合の変形例について説明する。図５２に示すように、全面が白表示の状態から、一部を残して前面黒表示させる場合は、ある一定数の画素（Ａ１〜Ｃ３）をまとめて１つの単位とし、白表示をさせる領域の面積が、上記１単位の１／３以下であれば、一部の白色帯電粒子２２を外周電極側に移動させて表示させることが望ましい。また、白表示させる領域の面積が、上記１単位の１／３以上であれば、その１単位中に存在する白粒子は全て白表示させる部分に集結させてもよい。
【０１０９】
尚、上記説明した各実施の形態の駆動波形の例では、白色帯電粒子２２が負に帯電する場合を説明したが、白色帯電粒子２２が正に帯電する場合には、第二電極１４及び第二外周電極に印加する駆動電圧の駆動波形の正負を、上述した各実施の形態と反対にした電圧を印加すれば良い。また、第一電極１１及び第二電極１４に印加する電圧の正負を反対にしてもよい。さらに、帯電粒子２２を黒色、絶縁膜１２を白色のものを用いても良い。
【図面の簡単な説明】
【０１１０】
【図１】第１実施の形態の画像表示装置１の表示パネル２の正面図である。
【図２】図１のＸ１−Ｘ１線に於ける矢視方向断面図である。
【図３】画像表示装置１のブロック図である。
【図４】電気泳動表示装置１のＲＯＭ５１の記憶エリアの概念図である。
【図５】電気泳動表示装置１のＲＡＭ５２の記憶エリアの概念図である。
【図６】第１実施の形態の表示パネル２の駆動中の正面図である。
【図７】第１実施の形態の表示パネル２の駆動中の正面図である。
【図８】第１実施の形態の表示パネル２の駆動中の正面図である。
【図９】第１実施の形態の表示パネル２の駆動中の正面図である。
【図１０】第１実施の形態の表示パネル２の駆動中の正面図である。
【図１１】第１実施の形態の第二電極１４へ印加される駆動電圧の波形を示す画素毎の電圧制御図である。
【図１２】第２実施の形態の表示パネル２の初期状態の正面図である。
【図１３】第２実施の形態の表示パネル２の駆動完了後の正面図である。
【図１４】第２実施の形態の表示パネル２の駆動中の正面図である。
【図１５】第２実施の形態の表示パネル２の駆動中の正面図である。
【図１６】第２実施の形態の表示パネル２の駆動中の正面図である。
【図１７】第２実施の形態の表示パネル２の駆動中の正面図である。
【図１８】第２実施の形態の表示パネル２の駆動中の正面図である。
【図１９】第２実施の形態の第二電極１４へ印加される駆動電圧の波形を示す画素毎の電圧制御図である。
【図２０】白色帯電粒子２２の移動の遷移状態を示す図である。
【図２１】白色帯電粒子２２の移動の遷移状態を示す図である。
【図２２】白色帯電粒子２２の移動の遷移状態を示す図である。
【図２３】第３実施の形態の表示パネル２の初期状態の正面図である。
【図２４】第３実施の形態の表示パネル２の駆動中の正面図である。
【図２５】第３実施の形態の表示パネル２の駆動完了後の正面図である。
【図２６】第３実施の形態の第二電極１４へ印加される駆動電圧の波形を示す画素毎の電圧制御図である。
【図２７】第４実施の形態の表示パネル２の正面図である。
【図２８】図２７のＸ２−Ｘ２線に於ける表示パネル２の矢視方向断面図である。
【図２９】第４実施の形態の表示パネル２の正面図である。
【図３０】図２９のＸ３−Ｘ３線に於ける表示パネル２の矢視方向断面図である。
【図３１】図２９のＸ３−Ｘ３線に於ける表示パネル２の矢視方向断面図である。
【図３２】第４実施の形態の表示パネル２の正面図である。
【図３３】図３２のＸ４−Ｘ４線に於ける表示パネル２の矢視方向断面図である。
【図３４】図３２のＸ４−Ｘ４線に於ける表示パネル２の矢視方向断面図である。
【図３５】第４実施の形態の表示パネル２の正面図である。
【図３６】図３５のＸ５−Ｘ５線に於ける表示パネル２の矢視方向断面図である。
【図３７】図３５のＸ５−Ｘ５線に於ける表示パネル２の矢視方向断面図である。
【図３８】第４実施の形態の第二電極１４へ印加される駆動電圧の波形を示す画素毎の電圧制御図である。
【図３９】第５実施の形態の表示パネル２の正面図である。
【図４０】図３９のＸ５−Ｘ５線に於ける表示パネル２の矢視方向断面図である。
【図４１】第５実施の形態の表示パネル２の正面図である。
【図４２】図４１のＸ６−Ｘ６線に於ける表示パネル２の矢視方向断面図である。
【図４３】図４１のＸ６−Ｘ６線に於ける表示パネル２の矢視方向断面図である。
【図４４】第５実施の形態の表示パネル２の正面図である。
【図４５】図４４のＸ７−Ｘ７線に於ける表示パネル２の矢視方向断面図である。
【図４６】図４４のＸ７−Ｘ７線に於ける表示パネル２の矢視方向断面図である。
【図４７】第５実施の形態の表示パネル２の正面図である。
【図４８】図４７のＸ８−Ｘ８線に於ける表示パネル２の矢視方向断面図である。
【図４９】図４７のＸ８−Ｘ８線に於ける表示パネル２の矢視方向断面図である。
【図５０】第５実施の形態の第二電極１４へ印加される駆動電圧の波形を示す画素毎の電圧制御図である。
【図５１】表示パネル２の変形例の正面図である。
【図５２】表示パネル２の変形例の正面図である。
【符号の説明】
【０１１１】
１  画像表示装置
２  表示パネル
３  制御装置
１０  第一基板
１１  第一電極
１１Ａ  第一外周電極
１２  絶縁膜
１３  第二基板
１４  第二電極
１５  表示部
１７  第二外周電極
２２  白色帯電粒子
４０  縁部
５６  表示制御部
５６Ａ  駆動波形メモリ
５９  電源
６０  バス
【図１】
2007310265.tif 000003
【図２】
2007310265.tif 000004
【図３】
2007310265.tif 000005
【図４】
2007310265.tif 000006
【図５】
2007310265.tif 000007
【図６】
2007310265.tif 000008
【図７】
2007310265.tif 000009
【図８】
2007310265.tif 000010
【図９】
2007310265.tif 000011
【図１０】
2007310265.tif 000012
【図１１】
2007310265.tif 000013
【図１２】
2007310265.tif 000014
【図１３】
2007310265.tif 000015
【図１４】
2007310265.tif 000016
【図１５】
2007310265.tif 000017
【図１６】
2007310265.tif 000018
【図１７】
2007310265.tif 000019
【図１８】
2007310265.tif 000020
【図１９】
2007310265.tif 000021
【図２０】
2007310265.tif 000022
【図２１】
2007310265.tif 000023
【図２２】
2007310265.tif 000024
【図２３】
2007310265.tif 000025
【図２４】
2007310265.tif 000026
【図２５】
2007310265.tif 000027
【図２６】
2007310265.tif 000028
【図２７】
2007310265.tif 000029
【図２８】
2007310265.tif 000030
【図２９】
2007310265.tif 000031
【図３０】
2007310265.tif 000032
【図３１】
2007310265.tif 000033
【図３２】
2007310265.tif 000034
【図３３】
2007310265.tif 000035
【図３４】
2007310265.tif 000036
【図３５】
2007310265.tif 000037
【図３６】
2007310265.tif 000038
【図３７】
2007310265.tif 000039
【図３８】
2007310265.tif 000040
【図３９】
2007310265.tif 000041
【図４０】
2007310265.tif 000042
【図４１】
2007310265.tif 000043
【図４２】
2007310265.tif 000044
【図４３】
2007310265.tif 000045
【図４４】
2007310265.tif 000046
【図４５】
2007310265.tif 000047
【図４６】
2007310265.tif 000048
【図４７】
2007310265.tif 000049
【図４８】
2007310265.tif 000050
【図４９】
2007310265.tif 000051
【図５０】
2007310265.tif 000052
【図５１】
2007310265.tif 000053
【図５２】
2007310265.tif 000054